Podtech/llm-jp-corpus-v4-ja_patent huggingface dataset:
(57)【要約】【課題】ねじ込み式ビスを用いる作業では、ビスヘッド部とドライバービット先端の接合面があまい場合、ビスが倒れたり、斜めに締め込まれたり、ビスヘッド部の溝形状を潰してしまうこともあります。また、相当量のねじ込み式ビスを多用する作業では時間的にも結構要します。【解決手段】  ビスヘッド部とドライバービット先端部の噛み合わせ面が確実に合致する形状の溝を設けたビスヘッド部を有するビスとその形状に対応する専用ドライバービットを用いる。【選択図】図１
2006153251.tif 000002
【特許請求の範囲】
【請求項１】
ビスをねじ込む作業等をおこなうときに、ビスのヘッド部がドライバービットから逃げない溝形状を設けたことを特徴とするビスヘッドを有するビスとその専用ドライバービット。
【請求項２】
前記ビスをねじ込む作業等をおこなうときのビスヘッドに対応した、締め込み用の専用ドライバービットを用いることを特徴とする請求項１記載のビスヘッドを有するビスとその専用ドライバービット。
【請求項３】
前記ビスをねじ込む作業等をおこなうときのビスヘッドに対応した、締め外し用の専用ドライバービットを用いることを特徴とする請求項１記載のビスヘッドを有するビスとその専用ドライバービット。
【発明の詳細な説明】
【技術分野】
【０００１】  この発明は、ねじ込み式ビスに用いるビスヘッドとその専用ドライバービットの形状に関する。
【背景技術】
【０００２】  従来のねじ込み式ビス等のビスヘッド部とドライバービット先端部の形状は＋や−や□など、ビスヘッド部の溝とドライバービット先端が直角的に接合する形状のものである。
【発明の開示】
【発明が解決しようとする課題】
【０００３】しかしながら、以上の技術によれば、作業時にビスヘッドの溝とドライバービットがしっかり合わなかったり押さえる力が弱かったりした場合、ビス締め込み時にビスが倒れたり斜めにねじ込まれたり、ビスヘッド部の＋や−や□の溝形状が潰れてしまったりしていた。それ故に、ビス外しも又出来ない状態だった。【０００４】  そこで、この発明は、ビスヘッド部とドライバービット先端部がしっかり接合し噛み合うことで、ビスヘッド部がドライバービットから逃げたり外れたり、また、ビスヘッドの溝形状を潰れてしまわないビスヘッド部を有するビスとその専用のドライバービットを提供することを課題とする。
【課題を解決するための手段】
【０００５】  以上の課題を解決するために、第一発明は、ビスをねじ込む作業をおこなうときに、ビスヘッド部とドライバービット先端部が逃げない形状を設けたことを特徴とするビスヘッドを有するビスとその専用ドライバービット。
また、第二発明は、第一発明のビスヘッド部に対応した締め込み用の専用ドライバービットを用いることを特徴とするビスヘッドを有するビスと専用ドライバービット。
また、第三発明は、第一発明のビスヘッド部に対応した締め外し用の専用ドライバービットを用いることを特徴とするビスヘッドを有するビスと専用ドライバービット。
【発明の効果】
【０００６】  第一発明、第二発明及び第三発明に拠って、ビスヘッド部と専用ドライバービット先端部の噛み合わせが飛躍的に向上し、女性などの弱い力の者が作業に従事してもビスヘッド部の溝形状を潰すことなく簡便に締め込むことが出来る。
【発明を実施するための最良の形態】
【０００７】  この発明の一実施形態を、図１（図面代用写真）、図２（図面代用写真）、図３（図面代用写真）、図４（図面代用写真）、図５（図面代用写真）、図６、図７及び図８に示す。
１ビスヘッド部には２締め込み専用の溝形状と３締め外し専用の溝形状が設けられている。この１ビスヘッド部の形状に合う４締め込み専用ドライバービット及び５締め外し専用ドライバービットのそれぞれが、セットで一体的に利用することにより、ビスヘッド部とドライバービット先端部の噛み合わせ面が合致する。【０００８】「実施形態の効果」
この実施形態によれば、１ビスヘッドと４締め込み用専用ドライバービット及び５締め外し用専用ドライバービットを用いることで、ビスヘッドの溝とドライバービットの接合面積の噛み合わせが飛躍的に向上する。【０００９】  したがって、専用ドライバービットの材質に磁性を持たせることと相乗して、ビスが倒れたり逃げたり、斜めに締め込まれたりすることがなくなる。【００１０】  また、女性などの弱い力の者がビスの締め込み作業に従事してもドライバービットからビスヘッド部が逃げたりしないため、軽い力でもビスヘッド部を潰すことなく作業出来る。【００１１】  以上のように、このビスヘッド部を有するビスと専用ドライバービットを用いることで、締め込み等の作業時間が大幅に短縮されることとなり、自動車、家電製品などのビス締め作業を多用する分野での利用等でも効率的省力化に寄与できる。
【図面の簡単な説明】
【００１２】
【図１】この発明の実施形態を示す締め込み用溝と締め外し用溝の形状を持つビスヘッド部を有するビスのヘッド部分の写真である。
【図２】この発明の実施形態を示す図１ビスの締め込み用溝に噛み合う、締め込み用ドライバービットの写真である。
【図３】この発明の実施形態を示す図１ビスの締め込み用溝と締め込み用ドライバービットが噛み合った状態の写真である。
【図４】この発明の実施形態を示す図１ビスの締め外し用溝に合う、締め外し用ドライバービットの写真である。
【図５】この発明の実施形態を示す図１ビスの締め外し用溝と締め外し用ドライバービットが噛み合った状態の写真である。
【図６】この発明の実施形態を示す図１ビスの展開図面である。
【図７】この発明の実施形態を示す図２締め込み用ドライバービットの展開図面である。
【図８】この発明の実施形態を示す図４締め外し用ドライバービットの展開図面である。
【符号の説明】
【００１３】  １  ビスヘッド部
２  締め込み用溝形状
３  締め外し用溝形状
４  締め込み用ドライバービット
５  締め外し用ドライバービット
【図１】
2006153251.tif 000003
【図２】
2006153251.tif 000004
【図３】
2006153251.tif 000005
【図４】
2006153251.tif 000006
【図５】
2006153251.tif 000007
【図６】
2006153251.tif 000008
【図７】
2006153251.tif 000009
【図８】
2006153251.tif 000010
【図６】
2006153251.tif 000011
【図７】
2006153251.tif 000012
【図８】
2006153251.tif 000013
【手続補正書】
【提出日】平成17年4月1日(2005.4.1)
【手続補正１】
【補正対象書類名】図面
【補正対象項目名】全図
【補正方法】変更
【補正の内容】
【図１】
2006153251.tif 000014
【図２】
2006153251.tif 000015
【図３】
2006153251.tif 000016
【図４】
2006153251.tif 000017
【図５】
2006153251.tif 000018
【図６】
2006153251.tif 000019
【図７】
2006153251.tif 000020
【図８】
2006153251.tif 000021
(57)【要約】【課題】      塩化ビニル管継手を使用する場合において容易に正確な寸法測定が行える器具を提供する。【解決手段】  心棒を配管芯に固定させる保持器に自在に伸縮及び回転させることのできる心棒を設けることにより、この課題を解決する。【選択図】    図１
2006153255.tif 000002
【特許請求の範囲】
【請求項１】
心棒を塩化ビニル管継手の配管芯に固定させる保持器に自在に伸縮及び回転させることのできる心棒を設けたことを特徴とする塩化ビニル管配管用芯出し器。
【請求項２】
塩化ビニル管継手に請求項１の塩化ビニル管配管用芯出し器を設けたことを特徴とする塩化ビニル管配管用芯出し器。
【発明の詳細な説明】
【技術分野】
【０００１】  本発明は塩化ビニル管配管に関するものである。
【背景技術】
【０００２】  従来から塩化ビニル管配管において、配管芯の違う２本の並行な管を、継手４５度エルボ２個を用いて接続するという状況がよくある（図４参照）。
【発明の開示】
【発明が解決しようとする課題】
【０００３】  塩化ビニル管継手は１度接着剤を塗布して接続してしまうと抜き取ることができないという特徴があるため、このような場合において、正確な管寸法（８）を算出する必要がある。その算出法として従来から主に２通りの方法が行われている。１つめは、まず２本の管の配管芯のずれを測定し、これに直角二等辺三角形の数式を用いて継手芯間の寸法を算出し、その寸法から継手芯より管差し込みしろまでの寸法を差し引く、という方法である。２つめは、まず目算で大体の寸法の管を切断し、その管と継手を仮組みして、正確な寸法を測定するという方法である。しかし、１つめの方法では計算式に時間を費やしたり、計算間違えによる労力及び材料の浪費、２つめの方法では２度も管を切断するといった労力及び材料の浪費というような問題点があった。本発明はこのような問題点を解決することを課題とする。
【課題を解決するための手段】
【０００４】  この課題を解決するための請求項１の発明は塩化ビニル管継手に差し込むことによって、心棒を配管芯に固定する保持器に、自在に伸縮及び回転させることのできる心棒を設けたことを特徴とする塩化ビニル管配管用芯出し器である。【０００５】  また請求項２の発明は、塩化ビニル管継手に、請求項１の塩化ビニル管配管用芯出し器を設けたことを特徴とする塩化ビニル管配管用芯出し器である。
【発明の効果】
【０００６】  発明は以上のような構造で、配管芯の違う２本の並行な管を継手２個を用いて接続する場合に、まず１方の管に請求項２の塩化ビニル管配管用芯出し器を差し込み、心棒を伸縮させてもう１方の配管芯に合わせることにより容易に正確な管寸法を測定できる。また計算式の複雑な１１度継手や２２度継手といったさまざまな継手を使用する場合においても、使用する角度の継手に請求項１の塩化ビニル管配管用芯出し器を差し込むことによって対応できる。また２本の管の配管芯がずれていてなおかつ並行ではないといった複雑な場合においても心棒を回転させることにより容易に角度合わせも行える。これにより従来のような不都合はおきず、また熟練した職人でなくても正確な寸法測定が行える。
【発明を実施するための最良の形態】
【０００７】  中心に心棒を通すための穴が開けてある塩化ビニル管と外径が同じ塩化ビニル製保持器（１）に、スライドさせることにより伸縮するロットアンテナの方法を用いた金属の心棒（２）を設ける。これに塩化ビニル管継手（３）を設ける。【０００８】  保持器の材料は塩化ビニルの他、同等の強さが得られればどのような材料でもよい。また心棒の材料は金属の他、同等の強さが得られればどのような材料でもよい。また心棒の伸縮についてはロットアンテナの方法の他、必要な強さがえられれば他の方法でもよい。
【産業上の利用可能性】
【０００９】  本発明に係る塩化ビニル管配管用芯出し器は工業的に量産することが可能であるため、産業上の利用可能性を有する。
【図面の簡単な説明】
【００１０】
【図１】  請求項１の発明の平面図である。
【図２】  請求項２の発明の平面図である。
【図３】  請求項２の発明の１部断面図である。
【図４】  配管芯の違う２本の並行な塩化ビニル管を継手４５度エルボ２個を用いて接続した場合の平面図である。
【符号の説明】
【００１１】  １  保持器
２  心棒
３  塩化ビニル管継手
４  継手芯
５  管差し込みしろ
６  継手角４５度
７  配管芯
８  管寸法
【図１】
2006153255.tif 000003
【図２】
2006153255.tif 000004
【図３】
2006153255.tif 000005
【図４】
2006153255.tif 000006
(57)【要約】【課題】メダル等の検査精度を大幅に向上させられるようにする。【解決手段】メダル等は凹凸部と濃淡部とを有するので、従来のように斜め方向からの照明のみでは、その特徴を効率よく取り出せないという難点があったが、この発明では、落射照明とドーム型照明と斜光照明とを併用することにより、検査物４に対して様々な角度から光を当てられるようにし、欠陥等を効果的に抽出できるようにする。１は撮像装置としてのカメラ、２はカバー、３はハーフミラーを示す。【選択図】図２
2006153580.tif 000002
【特許請求の範囲】
【請求項１】
凹凸と濃淡のある検査対象物のレリーフ表面検査方式において、
前記検査対象物のレリーフ表面を斜光照明手段，ドーム型照明手段および落射照明手段により同時に照明することを特徴とする検査対象物のレリーフ表面検査方式。
【請求項２】
各照明のための光源としてＬＥＤを使用し、前記検査対象物の色に応じて発光色を選択することを特徴とする請求項１に記載の検査対象物のレリーフ表面検査方式。
【発明の詳細な説明】
【技術分野】
【０００１】
この発明は、金属プレス加工品、メダル、樹脂成形品など自動的に大量に生産され、凹凸および濃淡をもつ検査対象品の表面レリーフの検査に使用して好適な照明装置を用いた検査方式に関する。
【背景技術】
【０００２】
従来、この種の検査に当っては、対象物に対して斜め方向から光を当て、その反射光を利用するものが一般的である。特に、複雑な表面形状をもつ対象物の検査精度を上げるため、照明条件が異なる場合にはしきい値の補正処理をするものとして、例えば特許文献１に示すものがある。
【特許文献１】特開平０８−１８９９０１号公報（第８−９頁、図３）
【発明の開示】
【発明が解決しようとする課題】
【０００３】
しかし、上記特許文献１の方式では、凹凸と濃淡の両方をもつ検査対象品の検査にはいまだ不十分である、という問題がある。
すなわち、検査対象物の表面の凹凸の特徴だけを光学的に検査する場合は、凹凸表面を斜めから照明することにより凹凸の段差を陰影パターンとして表現できるが、この場合、平面的に濃淡（または色）の変化があるパターンは、その濃淡変化のパターンが押えられてしまい、うまく検査できないことになる。一方で、表面の濃淡変化を光学的に検査する場合は、表面を上から照明することにより、濃淡を検査できるが、この場合は、凹凸の変化の陰影が押えられてしまい、うまく検査できないことになる。
この発明の課題は、凹凸と濃淡の両方を効率よく捉えることのできる照明手段を用いたレリーフ表面の検査方式を提供することにある。
【課題を解決するための手段】
【０００４】
このような課題を解決するため、請求項１の発明では、凹凸と濃淡のある検査対象物のレリーフ表面検査方式において、
前記検査対象物のレリーフ表面を斜光照明手段，ドーム型照明手段および落射照明手段により同時に照明することを特徴とするものである。
この請求項１の発明においては、各照明のための光源としてＬＥＤを使用し、前記検査対象物の色に応じて発光色を選択することができる（請求項２の発明）。
【発明の効果】
【０００５】
この発明によれば、濃淡変化とエッジ変化の両方を同時に検出できるので、メダル等の対象物の検査精度を大幅に向上させることが可能である。
【発明を実施するための最良の形態】
【０００６】
図１はこの発明の実施の形態を示す斜視図、図２はこの発明の作用を説明する断面図である。
これは、メダル等の検査対象物４に対し、ここでは発光ダイオードＬＥＤを光源として３種類の照明を行なうものである。すなわち、直方体状カバー２の所定面にＬＥＤを設置し、これらからの光をハーフミラー３を介して対象物４に導く同軸落射照明と、ドーム（半球）状カバー２１にＬＥＤを設置し、これらからの光を対象物４に導くドーム型照明と、円形状下部カバー２２の周上にＬＥＤを設置し、これらからの光をドーム状カバーに反射させて対象物４へと導く斜光照明とを併用するものである。なお、１は対象物４の撮像装置（ＣＣＤカメラ）を示す。
【０００７】
同軸落射照明では、平面上の濃淡の差異が強調され、これにより汚れ，ごみ，変色などが効率よく検出できる。メタルの変色や汚れが、主として化学的性質から青系でなく赤系で発生する場合は、赤系の対抗色である青色のＬＥＤが好適である。
斜光照明は比較的シャープなエッジ変化を強調するためであり、主としてキズや欠けの検出に有効である。そのため、光量的にパワーが出せる緑色ＬＥＤが好適である。また、変色検出のためには、白色より緑色ＬＥＤが有効である。
【０００８】
ドーム型照明は比較的ゆるやかなエッジ変化を強調するためであり、主として「ふくれ」や「めくれ」検出に有効である。そのため、光量的にパワーが出せる緑色ＬＥＤが好適であり、変色検出のためには、白色より緑色ＬＥＤが有効なのは斜光照明の場合と同様である。なお、ドーム型照明は方向特性を相殺する（等方的）傾向があって、シャープなエッジ変化を強調するためには不都合なので、斜光照明にてこれをカバーするようにしている。また、ＬＥＤの発光色は検査物の色に応じて適宜選択するのは勿論である。
【０００９】
以上では、主としてメダルの検査について説明したが、この発明は、貨幣、樹脂成形品等の検査にも同様にして適用することができる。
【図面の簡単な説明】
【００１０】
【図１】この発明の実施の形態を示す斜視図
【図２】この発明の作用を説明する断面図
【符号の説明】
【００１１】
１…撮像装置（モノクロカメラ）、２，２１，２２…カバー、３…ハーフミラー、４…検査対象物。
【図１】
2006153580.tif 000003
【図２】
2006153580.tif 000004
(57)【要約】【課題】  低温型燃料電池のアノードにおける電気化学的反応によってＣＯが副生するが、このＣＯの副生を抑制し、ＣＯによる触媒被毒を効果的に防止し得るようにした、低温型燃料電池のアノードに供給する燃料組成物を提供する。【解決手段】  低温型燃料電池のアノードに供給する燃料組成物中に溶存する酸素濃度を０．０１〜０．２５ｃｍ３／ｃｍ３（燃料組成物）とする。【選択図】  なし【特許請求の範囲】
【請求項１】
液体燃料、水、および０．０１〜０．２５ｃｍ３／ｃｍ３（燃料組成物）の量の溶存酸素とからなる、低温型燃料電池のアノードに供給する燃料組成物。
【請求項２】
液体燃料がメタノール、エタノール、２−プロパノールおよびジメチルエーテルから選ばれる少なくとも１つである請求項１記載の燃料組成物。
【発明の詳細な説明】
【技術分野】
【０００１】
本発明は燃料組成物、詳しくは低温型燃料電池のアノードに供給する燃料組成物に関する。
【背景技術】
【０００２】
メタノールなどの含酸素炭化水素化合物を燃料とした、直接メタノール型燃料電池（ＤＭＦＣ）などの低温型燃料電池は、簡易電力供給源として広く研究されている。この低温型燃料電池のアノードでは、燃料である含酸素炭化水素の電気化学的反応により一酸化炭素（ＣＯ）が副生し、アノードとして用いる触媒を被毒することは一般によく知られているところであり、この問題を解決するために種々の方法が提案されている（例えば、特許文献１）。
【０００３】
【特許文献１】特開２００２−３４３４０３号公報
【発明の開示】
【発明が解決しようとする課題】
【０００４】
本発明の目的は、上記ＣＯによる触媒被毒を効果的に防止して、アノード触媒による酸化反応が効率よく進行するようにし、結果として、高い出力電圧が得られるようにした、低温型燃料電池のアノードに供給する燃料組成物を提供することにある。
【課題を解決するための手段】
【０００５】
本発明者らの研究によれば、低温型燃料電池のアノードに供給する液体燃料中に溶存する酸素濃度を高めることにより、副生するＣＯを効率よく酸化して、ＣＯによる触媒被毒を効果的に防止し得ることがわかった。すなわち、本発明は、液体燃料、水、および０．０１〜０．２５ｃｍ３／ｃｍ３（燃料組成物）の量の溶存酸素とからなる燃料組成物である。
【発明の効果】
【０００６】
本発明の燃料組成物を用いることにより、ＣＯによる触媒被毒を効果的に防止でき、安定して高い出力電圧を得ることができる。例えば、ＤＭＦＣの場合には、燃料として用いるメタノールの酸化反応の際に副生するＣＯによる触媒被毒を効果的に防止することができる。また、特許文献１に記載のような過酸化水素などの化学品を使用しないので、安全性、コスト、調製操作の簡便性などの点において有利なものである。
【発明を実施するための最良の形態】
【０００７】
本発明の「低温型燃料電池」とは、例えば、ＤＭＦＣなどの、低温型燃料電池として一般によく知られている燃料電池を意味する。「液体燃料」としては、水溶性を有する有機化合物であればいずれでもよいが、なかでも水に任意の割合で溶解する、水素、炭素および酸素からなる有機化合物が好ましい。具体的には、水溶性を有するアルコール類、有機酸類、アルデヒド類、ケトン類などを挙げることができるが、 メタノール、エタノール、２−プロパノール、ジメチルエーテルなどの炭素数１〜６の含酸素炭化水素化合物が好適に用いられる。これらは単独でも、２種以上混合して使用してもよい。
【０００８】
本発明の「燃料組成物」は、上記液体燃料の水溶液からなり、その中に０．０１〜０．２５ｃｍ３／ｃｍ３（燃料組成物）、好ましくは０．０５〜０．２５ｃｍ３／ｃｍ３（燃料組成物）の酸素が溶存しているというものである。水溶液中の液体燃料の濃度は特に限定されるものではないが、通常、１〜３０質量％、好ましくは２〜１６質量％である。使用する「水」については特に制限はなく、燃料電池の燃料成分として一般に用いられているものであればいずれでもよく、ろ過膜やイオン交換樹脂などを用いて不純物を除去した純水あるいは超純水が好適に用いられる。溶存酸素の量が０．０１ｃｍ３／ｃｍ３（燃料組成物）より少ないと、ＣＯによる触媒被毒の防止効果が低く、一方溶存酸素濃度を０．２５ｃｍ３／ｃｍ３（燃料組成物）より多くしてもＣＯによる触媒被毒の防止効果の更なる向上は認められず、かえって電気化学的短絡をきたして出力が低下し、また高い溶存酸素濃度を維持するためには高い圧力下での運転が必要となるため実用上システムが複雑になるなどの問題が生じる。
【０００９】
溶存酸素濃度が０．０１〜０．２５ｃｍ３／ｃｍ３（燃料組成物）である燃料組成物は、例えば、水中に酸素や空気などをバブリングして飽和させ、これを液体燃料と混合することにより容易に得られる。また、ナノメートルサイズの微細な酸素バブルを導入して水中の溶存酸素量を大幅に高めることも可能である。本発明における燃料組成物中の溶存酸素濃度は、２５℃、１気圧の条件下にウィンクラー法（ＪＩＳ  Ｋ０１０１）により測定したものである。
【００１０】
なお、本発明の燃料組成物は、予め調製、貯蔵し、適宜使用しても、あるいは使用時に調製してもよい。また、本発明の燃料組成物の使用は、連続的であっても、間欠的であってもよく、通常の燃料組成物を用いた発電において性能低下をきたした場合などに、一時的に本発明の燃料組成物を供給して性能の賦活を図ることも可能である。
【００１１】
本発明の有利な実施態様を示している以下の実施例を挙げて、本発明を更に具体的に説明する。
【実施例１】
【００１２】
３０℃にて純水に酸素バブリングを行って酸素を溶解させて、水中の溶存酸素濃度を０．０２５ｃｍ３／ｃｍ３（水）とした後、メタノール濃度が５質量％となる割合でメタノールと混合して、溶存酸素濃度が０．０２４５ｃｍ３／ｃｍ３（燃料組成物）であるメタノール水溶液を得た。次に、電極面積：２５ｃｍ２、電解質膜：ナフィオン１１２、アノード：白金−ルテニウム（２０−１０質量％）担持カーボンブラック（ＶｕｌｃａｎＸＣ２７）／東レカーボンペーパー、アノード貴金属含量：白金１．０ｍｇ／ｃｍ２、ルテニウム０．５ｍｇ／ｃｍ２、カソード：白金（１０質量％）担持カーボンブラック（ＶｕｌｃａｎＸＣ７２）／東レカーボンクロス、カソード貴金属含有量：白金１．０ｍｇ／ｃｍ２のＥｌｅｃｔｒｏｃｈｅｍ社製の膜−電極触媒複合体を燃料電池試験用単セルに組み込み、このアノードに上記メタノール水溶液を６ｍｌ／ｍｉｎ、またカソードに酸素を０．３Ｌ／ｍｉｎで供給し、単セル温度を３０℃に保持して電流−電位曲線を求めた。電流密度が７５ｍＡ／ｃｍ２のときのセル電圧は１２０ｍＶであった。
【比較例１】
【００１３】
実施例１において、純水を酸素バブリングすることなくそのまま使用した以外は、実施例１と同様にして電流−電位曲線を求めた。電流密度が７５ｍＡ／ｃｍ２のときのセル電圧は９０ｍＶであった。なお、水中の溶存酸素濃度は０．００５３ｃｍ３／ｃｍ３（水）であり、燃料組成物中の溶存酸素濃度は０．００５ｃｍ３／ｃｍ３（燃料組成物）であった。実施例１と比較例１との比較により、溶存酸素濃度を高めた燃料組成物をアノードに供給することにより発電時の出力電圧が向上することがわかる。
(57)【要約】【目的】  ＬＥＤ照明装置において、点灯、消灯操作をすると、光量が徐々に変化しながら一定時間を経て完全点灯、完全消灯するようにし、照明の演出効果を高める事を可能にする。【構成】  例えば、動作制御のためのプログラムを記憶させたＣＰＵを実装した電気回路と光源を用意し、電源ボタンを操作する事でプログラムを実行させ、消灯時に電源ボタンを操作すると徐々に光量が増加しながら点灯し、点灯時に同様の操作をすると徐々に光量が減少しながら消灯させるようにする、ＬＥＤ照明装置の点灯、消灯方法。【選択図】  図１
2006185884.tif 000002
【特許請求の範囲】
【請求項１】
電源スイッチなどで、点灯のための操作をすると、徐々に光量が増加しながら一定時間を経て光源が点灯し、同様に消灯のための操作をすると徐々に光量が減少しながら一定時間を経て消灯する、ＬＥＤ照明装置の点灯、消灯方法。
【発明の詳細な説明】
【技術分野】
【０００１】  本発明は、ＬＥＤの照明器具の点灯方法、消灯方法に関するものである。
【背景技術】
【０００２】  従来のＬＥＤを含めた照明器具は電源スイッチを押す、または倒すなどすると瞬時に光がつき、再度同様の操作をする事によって瞬時に消えるものであった。また、水銀灯など一部の特定のランプを光源に使用した場合、電源スイッチを入れてから点灯までに、数分の時間がかかるものがあったが、これはランプの構造上必要な時間であり、演出性はなく、むしろ不便を伴うものであった。これらのいずれの動作も演出性、高級感に乏しいものであった。また、瞬時の光量変化に対応するため人の目に負担をかけるものであった。
【発明の開示】
【発明が解決しようとする課題】
【０００３】  本発明は、上記背景技術で指摘した点に鑑みてなされたもので、上記問題点を除去し、演出性に優れ、高級感をもったＬＥＤ照明器具の点灯方法、消灯方法を提供する事を目的とする。
【課題を解決するための手段】
【０００４】  上に記載の問題を解決するため、請求項１に記載したように、電源スイッチにて点灯、消灯のための操作をすると、電気回路によって、徐々に光量が増し数秒をかけて点灯し、消灯時にも同様に徐々に光量が減少しながら数秒をかけて消灯するようにする。
【発明の効果】
【０００５】  本発明のＬＥＤ照明の点灯、及び消灯方法は、例えば比較的点灯、消灯操作回数の多い、電気スタンド、室内灯などに使用すると、高級感を創出でき演出効果が高いため、ＬＥＤ照明装置製品に付加価値を持たせる事が出来る。また、光量が徐々に変化するため、人の目に負担をかけにくい。
【発明を実施するための最良の形態】
【０００６】  以下、本発明を実施するための最良の形態を図面に基づいて説明する。図１は本発明を取り入れたＬＥＤ照明器具の図である。
【実施例１】
【０００７】  本発明は図示するように、モーメンタリー式の電源ボタン１とＣＰＵ２が実装された電気回路基板３とＬＥＤ光源４を用意する。そしてＣＰＵ２に、電源スイッチを押すと、パルス電流の変動により、最初は暗く見え、徐々に明るさを変更しながら２秒で完全点灯させるプログラム、及び、点灯時に電源スイッチを押すとパルス電流の変動により徐々に明るさを変更しながら２秒で完全消灯させるプログラムを記憶させる。本発明は例えば、このように構成するので、消灯時に電源ボタン１を押す事によってプログラムが実行され、徐々に光量を増加させながら点灯させる事ができる。また、点灯時に電源ボタンを押すと、同様に光量を変化させながら消灯させる事が出来る。
【実施例２】
【０００８】上述した構成において、電源ボタン、またはスイッチはタッチスイッチ式、機械式等でも電気回路に信号を発信できるもので代替が可能である。
【実施例３】
【０００９】上述した構成において、ＣＰＵはプログラムを記憶できる他の装置にて代替が可能である。
【実施例４】
【００１０】上述した構成において、明るさを変動させる方法、及びプログラムは、分割抵抗を使用し、それらの電流を調整するなど、光源の出力を変化させる他の方法、及び他のプログラムで代替が可能である。
【実施例５】
【００１１】上述した構成において、光源の出力の変化は２秒でなくとも、人の目が変化を感じる時間で代替が可能である。
【実施例６】
【００１２】上述した構成において、光源となるＬＥＤの個数は直列、並列などの接続方法を問わず、複数個でも代替が可能である。
【実施例７】
【００１３】上述した構成の他に、製品の用途に応じた形状、接続方法を持ったものでも、請求項１の機能を実現した装置で代替が可能である。
【図面の簡単な説明】
【００１４】
【図１】本発明の実施例の照明器具の図である。
【符号の説明】
１  電源ボタン
２  ＣＰＵ
３  電気回路基板
４  光源ＬＥＤ
【図１】
2006185884.tif 000003
(57)【要約】      （修正有）【課題】トイレで音楽を聞きたいが、狭いトイレ内で邪魔にならずに、簡単に音楽を聞く事が出来るものを考える。【解決手段】音楽装置１をトイレの天井に付けることで邪魔にならず、また照明ソケット２を利用することで簡単に取り付けられ、トイレの照明スイッチを入れるだけで音楽が聞けます。【選択図】図１
2006185567.tif 000002
【特許請求の範囲】
【請求項１】
トイレ天井の電球を外し音楽装置を付けると、トイレの照明スイッチを入れるだけで、音楽が流れるソケット付きの音楽装置。
【発明の詳細な説明】
【技術分野】
【０００１】この発明は、トイレを快適にする為の音楽に関する。
【背景技術】
【０００２】従来のトイレには、簡単に音楽を聞く事が出来る装置が無かった。
【発明の開示】
【発明が解決しようとする課題】
【０００３】しかしながら、トイレに音楽を聞く事が出来る装置を置くとトイレ内が狭くなり、またスイッチを入れたり、切ったりの操作が面倒でした。
そこで、この発明はトイレ内で邪魔にならず、簡単な操作で音楽を聞く事が出来る装置を提供することを課題とする。
【課題を解決するための手段】
【０００４】以上の課題を解決するために、発明はトイレ天井の電球ソケットに音楽を聞く事が出来る装置を付ける。
【発明の効果】
【０００５】発明によれば、音楽を聞く事が出来る装置は邪魔にならずに、トイレ照明のスイッチを入れるだけで簡単にトイレで音楽を聞く事が出来る。
【発明を実施するための最良の形態】
【０００６】この発明の一実施形態を、図１に示す。
トイレ天井に付いている電球を外し、発明のソケット付き音楽装置を付ける。
これだけでトイレの照明スイッチを入れると音楽を聞く事が出来、照明スイッチを切ると音楽もとまる。
それは、音楽装置が電気が通ると音楽を流し、電気が止まると音楽も止まる構造だからです。
【図面の簡単な説明】
【０００７】
【図１】この発明の一実施形態を示す斜視図である。
【図２】この発明の電気の流れを示す配線図である。
【符号の説明】
【０００８】１  音楽装置本体            ２  天井のソケット
３  音楽装置のソケット      ４  電球
５  スピーカー              ６  本体スイッチ
７  ボリューム              ８  ＭＤやＭＰ３などの音楽メディア
９  リモコン                １０  トイレ照明のスイッチ
【図１】
2006185567.tif 000003
【図２】
2006185567.tif 000004
(57)【要約】      （修正有）【課題】  高速で書き込みをする場合でも、書き込みエラーが発生しない光ストレージディスクドライブを提供する。【解決手段】  読み書きをするレーザーピックアップの数を２ピックアップ以上の多ピックアップにし、データを分散させて、それぞれのピックアップに同時に書き込みエラーが出ない速度で、データを分散して記録させることで高速化を図る。【選択図】図１
2006185568.tif 000002
【特許請求の範囲】
【請求項１】
光ストレージディスクドライブのレーザーピックアップ部を増やし、多レーザーピックアップにする事により、データの高速な書き込みや読み出しを可能とする光ストレージ。
【発明の詳細な説明】
【技術分野】
【０００１】  本発明は、光ストレージのレーザーピックアップを、多ピックアップ化し、データの高速読み書きを高速化に関する。
【背景技術】
【０００２】  従来の光ストレージはレーザーピックアップが、１ピックアップで技術の進歩により、高速化を図る努力がなされていた。【０００３】  光ディスク、ディーブイディーラム、アール（ＤＶＤ−ＲＡＭ、Ｒ）やディーブイディーアールダブリュー（ＤＶＤ−ＲＷ）のディスク自体の読み書きが高速に行えるように、改善が施されて来た。
【発明の開示】
【発明が解決しようとする課題】
【０００４】  以上のように高速化を図る努力がなされているが、高速読み書き、特にデータをディスク書き込み時に高速書き込みをすると、書き込みエラーが発生し、ディスクのデータの読み込みが出来ない場合が、高速書き込みするほどエラーが発生する可能性がたかかった。
【課題を解決するための手段】
【０００５】  レーザーピックアップを２ピックアップ以上（添付図１では、４ピックアップ例）にし、データを分散し読み書きする。
【発明の効果】
【０００６】  データをエラーが発生しない程度で、それぞれのレーザーピックアップにデータを分散させて記録していくので、書き込みエラーが発生しにくく、かつ分散して同時に書き込みや読み出し出来るので、データの読み書きの高速化が図れる。
【発明を実施するための最良の形態】
【０００７】  光ストレージディスクドライブに、２ピックアップ以上のレーザーピックアップを設置する。
【実施例】
【０００８】  精密機器のため個人での製作は事実上不可能なため、実施例は無い。
【図面の簡単な説明】
【０００９】
【図１】  光ストレージディスクドライブに４レーザーピックアップを設置した平面図例である。
【符号の説明】
【００１０】１  ピックアップ１
２  ピックアップ２
３  ピックアップ３
４  ピックアップ４
１０  光ディスク
１１  ディスク回転軸
２１  光ストレージディスクドライブ本体
２２  多ピックアップ制御装置
【図１】
2006185568.tif 000003
(57)【要約】  【課題】  輝度ムラをできるだけ低下した面照明装置を提供する。  【解決手段】  略かまぼこ状の導光板１の両側面に内向きに光を発する発光ダイオードなどの光源２を配置し、導光板１の凸面側を光反射面３とし、平面側を光出射面４とした面照明装置である。この構成によれば、光源２の光が導光板１の中心５より遠方側にて多く反射するため、輝度ムラを低下できる。導光板１の凸面側の曲率にもよるが、光源２の全光束のうちの60〜70%を導光板１の中心５より遠方側の光反射面３にて反射させることができるため、輝度ムラを著しく低下できる。【選択図】  図１
2006185653.tif 000002
【特許請求の範囲】
【請求項１】
略かまぼこ状の導光板の両側面に内向きに光を発する光源を配置し、導光板の凸面側を光反射面とし、平面側を光出射面とした面照明装置。
【請求項２】
請求項１において、光源の全光束のうちの60〜70%を導光板の中心より遠方側の光反射面にて反射させた面照明装置。
【請求項３】
略円弧状の反射板の両側縁付近に内向きに光を発する光源を配置し、反射板の対面側に光拡散性の透光板を配置した面照明装置。
【請求項４】
請求項３において、光源の全光束のうちの60〜70%を反射板の中心より遠方側にて反射させた面照明装置。
【発明の詳細な説明】
【技術分野】
【０００１】
本発明は、輝度ムラをできるだけ低下した面照明装置に関する。
【背景技術】
【０００２】
特許文献１などでは、テーパ状の導光板の広幅側面に内向きに光を発する光源を配置し、導光板のテーパ側を光反射面とし、平面側を光出射面とした面照明装置が知られている。
【特許文献１】特開平９−１５９８３１号公報
【発明の開示】
【発明が解決しようとする課題】
【０００３】
しかし、光源から遠方側では光が反射面に到達しにくくなり出射光が弱くなって輝度ムラを生じやすいという解決すべき課題があることに着目されるべきである。本発明はこのような解決すべき課題を鑑み、輝度ムラをできるだけ低下した面照明装置を提供することを目的とする。
【課題を解決するための手段】
【０００４】
本発明を要約すると、略かまぼこ状の導光板の両側面に内向きに光を発する光源を配置し、導光板の凸面側を光反射面とし、平面側を光出射面とした面照明装置である。また、略円弧状の反射板の両側縁付近に内向きに光を発する光源を配置し、反射板の対面側に光拡散性の透光板を配置した面照明装置でもある。
【発明の効果】
【０００５】
本発明によれば、光源の光が導光板または反射板の中心より遠方側にて多く反射するため、輝度ムラを低下できる。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図１、２の第一実施形態は、略かまぼこ状の導光板１の両側面に内向きに光を発する発光ダイオードなどの光源２を配置し、導光板１の凸面側を光反射面３とし、平面側を光出射面４とした面照明装置である。この構成によれば、光源２の光が導光板１の中心５より遠方側にて多く反射するため、輝度ムラを低下できる。導光板１の凸面側の曲率にもよるが、光源２の全光束のうちの60〜70%を導光板１の中心５より遠方側の光反射面３にて反射させることができるため、輝度ムラを著しく低下できる。
【０００８】
さらに詳述すれば、光反射面３には例えば多数の四角錐状の突起６を凹入加工してあり、光源２からの光は突起６の表面にて拡散反射される。そして、その拡散反射光は光出射面４から外部に出射するが、光拡散性の透光板７に透過させてさらに光ムラを解消してもよい。また、光反射面３の外側には白色など略円弧状の反射板８を設けて光反射面３から外部に漏れる光を導光板１内に戻すと光利用効率がよくなる。
【０００９】
図３の第二実施形態は、白色など略円弧状の反射板１１の両側縁付近に内向きに光を発する発光ダイオードなどの光源１２を配置し、反射板１１の対面側に光拡散性の透光板１３を配置した面照明装置である。この構成によれば、光源１２の光が反射板１１の中心１４より遠方側にて多く反射するため、輝度ムラを低下できる。反射板１１の曲率にもよるが、光源１２の全光束のうちの60〜70%を反射板１１の中心１４より遠方側にて反射させることができるため、輝度ムラを著しく低下できる。
【００１０】
さらに述べると、反射板１１の内面には例えば多数の四角錐状の突起１５を形成してあり、光源１２からの光は突起１５の表面にて拡散反射されて、透光板１３にて拡散性よく外部に出射して輝度ムラを一層低下している。
【図面の簡単な説明】
【００１１】
【図１】本発明の第一実施形態を示す縦断面図
【図２】同横断面図
【図３】本発明の第ニ実施形態を示す縦断面図
【符号の説明】
【００１２】
１  導光板
２  光源
３  光反射面
４  光出射面
５  導光板１の中心
１１  反射板
１２  光源
１３  透光板
１４  反射板１１の中心
【図１】
2006185653.tif 000003
【図２】
2006185653.tif 000004
【図３】
2006185653.tif 000005
(57)【要約】【課題】自動転色ＬＥＤは歴史が浅いせいか、不安定な要素が多々あるが需要が殖えれば安定するのではないか、色に依り光量にバラツキがあるが逐次改善されると思はれる。未だ服飾には使用されていないが、今後大いに利用される物と思はれる。【解決手段】場所や予算が許すなら、自動転色回路はＬＥＤに埋め込み型ＩＣを使はず、温度の影響を受けにくい様に、別に離した回路にしたほうが良い。そしてリチウム電池の様に１個で３，６Ｖ以上の電圧があるボタン電池だと指環やイヤリングにも使用出來る。【選択図】  なし【特許請求の範囲】
【請求項１】
宝飾用の透明体に穴を開け発光ダイオードを挿入し、又は小さな鏡や透明体を発光ダイオードの周りに配置し、ダイオードの転色が四方から輝く様に見えて、  故障の場合ダイオードを交換出來る様な構造を持つた宝飾品。
又ブーケやコサージュの場合、花芯や花弁を透明又は半透明にして、ダイオードを点滅又は転色させる構造を持つた花飾。
【請求項２】
電気回路に依り自動転色するＬＥＤをブーケやイヤリング、コサージュ、王冠、等の装飾品に用いる場合、発光体が小さいので反射板を置いて効果良く見せる為には、パラボラ型の放物面が必要であるが、奥行がある為使いづらい。  此の放物面を同心円状に薄く輪切りにして、平面上に同心円を順序良く並べたり、又は放物面を林檎の皮剥きの様に高さを等しく放物面の角度を保ちながら渦巻状に平面に転開した構造を持つ、薄い平面的な放物面反射板。
【請求項３】
吊るすイヤリングの場合、向けたい面が仲々思う方に向いてくれない時に、直交する２個のカップリングを間に用いて、接触面をゴムコート等して摩擦を大きくして、１個又は２個を使用する事に依り、  希望の向きにする事が出來る構造を持つたカップリング。
【発明の詳細な説明】
【技術分野】
【０００１】本発明は、ＩＣ回路を埋込んだ自動転色ＬＥＤの応用で、花芯に付けて幻想的に色を変化させ、ボタン型リチウム電池一ケで複数のＬＥＤを転色させ、王冠、イヤリング、ブローチ、ネックレス、ペンダント、指環、ブーケ、コサージュ、等に簡単に用ふる事が出來る。
【背景技術】
【０００２】従來蓄光材や反射材はあったが発光する物は無かった。豆電球はあったが電力の消費が多い為、電池の寿命が短かく実用的でなかった。
転色ダイオードは青、緑が約３ｍＡ、赤でも約５ｍＡなので直径２０ｍｍのリチウムボタン電池で連続２４時間以上発光させる事が出來るので、実用的になつた。【０００３】ＬＥＤやＩＣの普及に依り、組込可能な小型な装置となった。
【発明の開示】
【発明が解決しようとする課題】
【０００４】結婚式や舞台出演者達は目立つ様に反射ミラー等を着ける。
【課題を解決するための手段】
【０００５】リチウム電池は３Ｖあるので１個で発光し、時計用ボタン電池で２４時間以上イヤリングや指環等に使用出來る。
【発明の効果】
【０００６】穴を開けた中心部で発光するため、宝石の様に、ダイヤモンドカットが引立ち、今迄にない幻想的な発光アクセサリーとなる。
【発明を実施するための最良の型態】
【０００７】透明又は半透明の花芯、花弁に発光ダイオードを埋め込み、転色させれば変化が良く判り効果的である。色も赤、青、赤、緑、赤と、赤を中心に変化したほうが花らしく、暖色であり好ましい。
【実施例１】
【０００８】花芯に転色ダイオードを埋めた造花を車のフロントグラスの両脇に置き２つのダイオードを並列にしてマンガン単３電池を２本直列接続で点灯、又は両側のダイオードを直列にして抵抗を入れ車のシガーライターの電池に接続する。そして夜景でも見ながらムードヘルパーとして語り合う。
【実施例２】
【０００９】結婚式や舞台等で服や帽子にコサージュを付けて目立ちたい出演者はパラボラ反射板を付ける、又クリスマスや子供の誕生会には￥５００の王冠に巨大ダイアモンド状のペンダント飾りを付けて、転色させ輝かせれば盛り上る。誕生会が終ればペンダントは母親が常用する。
(57)【要約】【課題】  高密度化された回路基板の取り扱いにおいて、裏面の部品の破損を防止するという目的を、原価、質量を増加させずに実現するとともに、板厚の変更にも装置側を変更せずに対応可能な回路基板構造を提供する。【解決手段】  回路基板２ａの裏面の周囲に、裏面の電子部品５の高さ寸法値より大きい厚み寸法値のプラスチック製のスペーサ９を取り付けることにより、回路基板２ａの挿抜等の取り扱いに対し、裏面の電子部品５の破損を防止する。さらに、取り付け部の形状を爪形状１０にすることで、工具を使用せずに取り付け、取り外しが可能となり、作業性を向上させる。【選択図】図１
2006066477.tif 000002
【特許請求の範囲】
【請求項１】
論理動作を行う半導体素子の回路基板を複数枚有し、その回路基板を外部より挿抜することが可能な電子装置において、前記回路基板の裏面の周囲に、プラスチック製のスペーサを、工具を使用せずに取り付ける構造としたことを特徴とする電子装置の回路基板構造。
【発明の詳細な説明】
【技術分野】
【０００１】
本発明は、論理動作を行う回路基板を複数枚有し、外部より回路基板の挿抜を行い、かつ、同一スロットに機能の異なる回路基板を搭載する電子装置に関する。
【背景技術】
【０００２】
一般に、論理動作を行う半導体素子の回路基板が複数枚搭載される電子装置においては、装置外部から搭載される回路基板と装置内部に固定してある回路基板を、コネクタを介して接続するために、その勘合上の位置決めのため、装置側にはＵ形状のガイドが設けられ、外部から搭載する回路基板の両端をガイドに合わせて搭載する。
【０００３】
図３は、上記電子装置における、回路基板の構造と装置側の状態を示す斜視図である。図４は、図３において回路基板を搭載した状態でのＢ−Ｂ視図である。図３、４において、１は電子装置、２ａ、２ｂは回路基板、３ａ、３ｂはコネクタ、４はガイド、５は電子部品、６はエンクロジャ板金を表す。
【０００４】
なお、回路基板２ａは、高機能化、高密度化のために裏面に多数の電子部品５を搭載しており、電子部品５はむきだしの状態であるため、単体で机上に置く場合やＸ１方向への挿入時のガイド４に載せる前およびＸ２方向への抜去時のガイド４から外れた状態での取り扱いにおいて、電子部品５の破損という問題をおこす可能性がある。
【０００５】
上記の改善策として、エンクロジャ板金６を回路基板２ａの裏側全面に伸ばして覆い、電子部品５を保護するという構造を採るのが一般的である。図５はこの方法による状態を示す斜視図である。図６は、図５において回路基板２ａを搭載した状態でのＣ−Ｃ視図である。７はネジ、８は絶縁シートを表し、他の符号は図３、４と同一である。
【０００６】
しかしながらこの方法では、エンクロジャ板金６と電子部品５の絶縁性を考えると、距離を確保するか絶縁シート８を間に挟むことになる。距離を確保するとなると、電子部品５の部品高さの制約が厳しくなるため、高密度化に対しデメリットとなる。絶縁シート８を間に挟む場合、その部品が追加品となり、エンクロジャ板金６自身の原価アップおよび取り付けにおいて発生するネジ７を締めつける作業の件を含めて、原価的に非常にデメリットとなる。
【０００７】
また、回路基板２ａが複数枚ある場合、電子装置１の質量がかなり増加することになる。
【０００８】
一方、機能向上のために、回路基板２ａの厚みを厚くしたい場合がある。図３、４の構造の場合では、ガイド４の溝幅を変更する必要があり、装置の変更が必要となる。
【０００９】
【特許文献１】特開２０００−２１６５６３
【発明の開示】
【発明が解決しようとする課題】
【００１０】
解決しようとする問題点は、回路基板を、単体で机上に置く場合や挿抜の操作等の取り扱いにおいて、裏面に搭載している電子部品の破損の可能性がある点である。
そこで、裏面を板金で覆うという構造を採るが、その場合は原価アップや装置の質量増加が発生してしまう点である。
さらに、回路基板の板厚を厚くする必要がでてきた場合、装置側を変更する必要がある点である。
【課題を解決するための手段】
【００１１】
本発明は、回路基板の裏面の周囲に、プラスチック製のスペーサを、工具を使用せずに取り付けられる構造とすることを特徴とする。
【発明の効果】
【００１２】
本発明での回路基板の構造は、取り扱いによる裏面の部品の破損を防止する。
特に、回路基板を横向きに搭載する装置に有利である。
【００１３】
また、プラスチック製のスペーサは、金型を興し成形化することで部品原価を極力抑えることが可能であり、工具を使用せず、取り付け、取り外しが可能な形状とすることも可能なため、作業性も向上できる。さらに、質量増加を防げる。
【００１４】
さらに、別機能を有する厚みの異なる回路基板を同一スロットに搭載する場合は、本プラスチック製のスペーサを変更することで、装置側を変更せずに対応できる。
【発明を実施するための最良の形態】
【００１５】
図１は、本発明の１実施例の斜視図である。図２は、図１において回路基板２ａを搭載した状態でのＡ−Ａ視図である。
【００１６】
９はスペーサを表し、他の符号は図３、４と同一である。裏面の電子部品５の高さ寸法値より大きい厚み寸法値のプラスチック製のスペーサ９は、回路基板２ａの縁を囲むような形状をし、部分的に爪形状１０をしており、その部分を回路基板２ａの穴に、裏から工具なしで取り付ける。
【００１７】
このような構造を採用したので、回路基板２ａの取り扱いにおいては電子部品5の破損をおこすことがなくなる。また、工具なしで取り付け、取り外しが可能となっているため、取り付け作業時間を極力短くすることができる。さらに、プラスチック製のため、質量も増加させずにすむ。
【００１８】
一方、上記の回路基板２ａの厚みが変更となった場合、裏面の周囲に取り付けたプラスチック製のスペーサ９を変更することで、装置側の構造を変更することなく搭載することが可能となる。
【００１９】
また、プラスチックの材質変更や取り付けポイントを増やすことによっては、補強を兼ねることも可能である。
【図面の簡単な説明】
【００２０】
【図１】本発明の一実施例による回路基板の実装構造を示した説明図である。
【図２】図１におけるＡ−Ａ視図を示した説明図である。
【図３】従来技術による回路基板の実装構造を示した説明図である
【図４】図３におけるＢ−Ｂ視図を示した説明図である。
【図５】従来技術による回路基板の実装構造を示した説明図である
【図６】図５におけるＣ−Ｃ視図を示した説明図である。
【符号の説明】
【００２１】
１    電子装置
２ａ、２ｂ    回路基板
３ａ、３ｂ    コネクタ
４    ガイド
５    電子部品
６    エンクロジャ板金
７    ネジ
８    絶縁シート  
９    プラスチック製のスペーサ
１０  爪形状
【図１】
2006066477.tif 000003
【図２】
2006066477.tif 000004
【図３】
2006066477.tif 000005
【図４】
2006066477.tif 000006
【図５】
2006066477.tif 000007
【図６】
2006066477.tif 000008